(57)【特許請求の範囲】
【請求項１】
標準時刻電波を受信して表示時刻を修正する電波修正時計のムーブメントにおいて、
当該ムーブメントは、モータと、前記モータに連結された減速機構と、指針を装着する指針パイプと、前記標準時刻電波を受信するアンテナと、前記モータを制御する駆動回路及び前記受信の動作を制御する受信回路を設けた回路基板と、それらを支持するケース体とを備え、前記指針パイプが前記減速機構を介して前記モータにより駆動するものであり、
前記ケース体は、背面側の第１ケース部材及び正面側の第２ケース部材をその厚さ方向に組付けてなる扁平型のものであり、
前記ケース体の内部には、前記モータ、前記減速機構、及び前記指針パイプの基端部を設け、
前記第１ケース部材は、前記ケース体の正面側から見て前記第２ケース部材の側部に食み出した部位に、前記アンテナを装着するアンテナ装着部を備えたものであり、
前記指針パイプの先端部は、前記第２ケース部材から正面に向けて突出するものとし、
前記回路基板は、前記第２ケース部材の正面に装着されるとともに、前記第２ケース部材の正面から前記アンテナ装着部の側に延出する延出部を備えたものであり、
前記第２ケース部材と前記アンテナ装着部との間には、前記第１ケース部材及び前記延出部にて前記ケース体の厚さ方向に挟まれた中空部が形成されるものとし、
前記延出部に搭載した電子素子が、前記中空部に位置するようにしたことを特徴とする電波修正時計のムーブメント。
【請求項２】
前記電子素子は、押しボタン式スイッチであることを特徴とする請求項１記載の電波修正時計のムーブメント。
【請求項３】
前記電子素子は、発光素子であることを特徴とする請求項１記載の電波修正時計のムーブメント。
【請求項４】
前記中空部には、磁気シールドを設けたことを特徴とする請求項１記載の電波修正時計のムーブメント。
【請求項５】
標準時刻電波を受信して表示時刻を修正する電波修正時計のムーブメントにおいて、
当該ムーブメントは、モータと、前記モータに連結された減速機構と、指針を装着する指針パイプと、前記標準時刻電波を受信するアンテナと、前記モータを制御する駆動回路及び前記受信の動作を制御する受信回路を設けた回路基板と、それらを支持するケース体とを備え、前記指針パイプが前記減速機構を介して前記モータにより駆動するものであり、
前記ケース体は、背面側の第１ケース部材及び正面側の第２ケース部材をその厚さ方向に組付けてなる扁平型のものであり、
前記ケース体の内部には、前記モータ、前記減速機構、及び前記指針パイプの基端部を設け、
前記第１ケース部材は、前記ケース体の正面側から見て前記第２ケース部材の側部に食み出した部位に、前記アンテナを装着するアンテナ装着部を備えたものであり、
前記指針パイプの先端部は、前記第２ケース部材から正面に向けて突出するものとし、
前記回路基板は、前記第２ケース部材の正面に装着されるとともに、前記第２ケース部材の正面から前記アンテナ装着部の側に延出する延出部を備えたものであり、
前記第２ケース部材と前記アンテナ装着部との間には、前記第１ケース部材及び前記延出部にて前記ケース体の厚さ方向に挟まれた中空部が形成されるものとし、
前記中空部には、磁気シールドを設けたことを特徴とする電波修正時計のムーブメント。
【発明の詳細な説明】
【技術分野】
【０００１】
本発明は、指針を駆動するムーブメントに関し、特に、アナログ式の電波修正時計に利用されるものである。
【背景技術】
【０００２】
時計の指針を駆動するムーブメントは、指針パイプが減速機構を介してモータにより駆動する構成となっている。ムーブメントのケース体には、モータを制御する駆動回路が設けられている。モータは、駆動回路に設定されたプログラムに基づいて制御される。この種のムーブメントは、特許文献１乃至６にも開示されている。
【先行技術文献】
【特許文献】
【０００３】
【特許文献１】特開平７−１９８８７１号公報
【特許文献２】特開平１０−１２３２６６号公報
【特許文献３】特開２００１−４２０６０号公報
【特許文献４】特開２００７−１３２８２２号公報
【特許文献５】特開２００８−２４１５３８号公報
【特許文献６】特開２０１０−３８５８２号公報
【発明の概要】
【発明が解決しようとする課題】
【０００４】
さて近年では、時計の形態は益々多様化される傾向にあり、時計のムーブメントについても、各種時計に対応すべく汎用性の向上が求められている。特に、標準時刻電波を受信してその表示時刻を修正する電波修正時計の使用が広まっており、電波修正時計に用いるムーブメントについても、構造の簡素化や製造性の向上等を踏まえつつ、更なる工夫が求められている。
【０００５】
アンテナをムーブメントに設けるにあたり、注意すべきは、アンテナに対するモータのノイズの影響である。モータが発生する磁界は、ノイズとなりアンテナの受信感度を低下させるので、モータとアンテナとの間隔は、大きいほうが望ましい。但し、時計の内部に設けるムーブメントとしては、できるだけ小型化することが望ましいという要請もあり、アンテナの配置構成が重要な問題となる。
【０００６】
また、電波修正時計のムーブメントには、受信動作を操作するためのスイッチ類や、受信状態を表示するための発光素子等が設けられる。そのような電子素子を回路基板に搭載する場合は、ムーブメントの小型化を図るべく、内部スペースを有効に利用するための設計上の工夫が必要であると考えられる。
【０００７】
本発明は、かかる事情に鑑みてなされたものであり、その目的は、標準時刻電波の受信感度を良好に確保するとともに構成部材のレイアウトを合理化してなる電波修正時計のムーブメントを得ることである。
【課題を解決するための手段】
【０００８】
本願第１請求項に記載した発明は、標準時刻電波を受信して表示時刻を修正する電波修正時計のムーブメントにおいて、当該ムーブメントは、モータと、前記モータに連結された減速機構と、指針を装着する指針パイプと、前記標準時刻電波を受信するアンテナと、前記モータを制御する駆動回路及び前記受信の動作を制御する受信回路を設けた回路基板と、それらを支持するケース体とを備え、前記指針パイプが前記減速機構を介して前記モータにより駆動するものであり、前記ケース体は、背面側の第１ケース部材及び正面側の第２ケース部材をその厚さ方向に組付けてなる扁平型のものであり、前記ケース体の内部には、前記モータ、前記減速機構、及び前記指針パイプの基端部を設け、前記第１ケース部材は、前記ケース体の正面側から見て前記第２ケース部材の側部に食み出した部位に、前記アンテナを装着するアンテナ装着部を備えたものであり、前記指針パイプの先端部は、前記第２ケース部材から正面に向けて突出するものとし、前記回路基板は、前記第２ケース部材の正面に装着されるとともに、前記第２ケース部材の正面から前記アンテナ装着部の側に延出する延出部を備えたものであり、前記第２ケース部材と前記アンテナ装着部との間には、前記第１ケース部材及び前記延出部にて前記ケース体の厚さ方向に挟まれた中空部が形成されるものとし、前記延出部に搭載した電子素子が、前記中空部に位置するようにした構成の電波修正時計のムーブメントである。
【０００９】
本願第２請求項に記載した発明は、請求項１において、前記電子素子は、押しボタン式スイッチである構成の電波修正時計のムーブメントである。
【００１０】
本願第３請求項に記載した発明は、請求項１において、前記電子素子は、発光素子である構成の電波修正時計のムーブメントである。
【００１１】
本願第４請求項に記載した発明は、請求項１において、前記中空部には、磁気シールドを設けた構成の電波修正時計のムーブメントである。
【００１２】
本願第５請求項に記載した発明は、標準時刻電波を受信して表示時刻を修正する電波修正時計のムーブメントにおいて、当該ムーブメントは、モータと、前記モータに連結された減速機構と、指針を装着する指針パイプと、前記標準時刻電波を受信するアンテナと、前記モータを制御する駆動回路及び前記受信の動作を制御する受信回路を設けた回路基板と、それらを支持するケース体とを備え、前記指針パイプが前記減速機構を介して前記モータにより駆動するものであり、前記ケース体は、背面側の第１ケース部材及び正面側の第２ケース部材をその厚さ方向に組付けてなる扁平型のものであり、前記ケース体の内部には、前記モータ、前記減速機構、及び前記指針パイプの基端部を設け、前記第１ケース部材は、前記ケース体の正面側から見て前記第２ケース部材の側部に食み出した部位に、前記アンテナを装着するアンテナ装着部を備えたものであり、前記指針パイプの先端部は、前記第２ケース部材から正面に向けて突出するものとし、前記回路基板は、前記第２ケース部材の正面に装着されるとともに、前記第２ケース部材の正面から前記アンテナ装着部の側に延出する延出部を備えたものであり、前記第２ケース部材と前記アンテナ装着部との間には、前記第１ケース部材及び前記延出部にて前記ケース体の厚さ方向に挟まれた中空部が形成されるものとし、前記中空部には、磁気シールドを設けた構成の電波修正時計のムーブメントである。
【発明の効果】
【００１３】
本発明によれば、標準時刻電波の受信感度を良好に確保するとともに構成部材のレイアウトを合理化してなる電波修正時計のムーブメントを得ることができる。
【図面の簡単な説明】
【００１４】
【図１】本発明の実施例に係り、電波修正時計のムーブメントを示す正面図である。
【図２】本発明の実施例に係り、電波修正時計のムーブメントを示す背面図である。
【図３】本発明の実施例に係り、電波修正時計のムーブメントを示す側面断面図（図２のＸ−Ｘ断面図）である。
【図４】本発明の実施例に係り、電波修正時計のムーブメントの要部を示す側面断面図（図３の要部拡大図）である。
【図５】本発明の実施例に係り、電波修正時計のムーブメントを示す側面断面図（図２のＹ−Ｙ断面図）である。
【図６】本発明の実施例に係り、電波修正時計のムーブメントの要部を示す側面断面図（図５の要部拡大図）である。
【図７】本発明の実施例に係り、第２ケース部材及び回路基板を示す背面図である。
【図８】本発明の実施例に係り、第２ケース部材及び回路基板を示す側面図である。
【図９】本発明の実施例に係り、中空部に磁気シールドを設けた電波修正時計のムーブメントを示す側面断面図（図２のＸ−Ｘ断面図）である。
【発明を実施するための形態】
【００１５】
以下に、本発明の実施例を図面に基づいて説明する。図１乃至図８に示す本例のムーブメント１は、標準時刻電波を受信して表示時刻を修正するアナログ式電波修正時計に用いられるものである。
【００１６】
このムーブメント１は、複数のモータ２１０，２２０と、各モータ２１０，２２０に連結されたギア列からなる減速機構３１０，３２０と、指針を装着する指針パイプ４１０，４２０，４３０と、標準時刻電波を受信するアンテナ８００と、各モータ２１０，２２０をそれぞれ制御する駆動回路及び受信の動作を制御する受信回路を設けた回路基板５００と、それらを支持するケース体６００とを備え、指針パイプ４１０，４２０，４３０が減速機構３１０，３２０を介してモータ２１０，２２０により駆動する構成となっている。
【００１７】
具体的には、時針を装着する時針パイプ４１０、分針を装着する分針パイプ４２０、秒針を装着する秒針パイプ４３０が同心軸状に設けられている。尚、中心に位置する秒針パイプ４３０は、特にパイプ状の部材でなくともよい。図例した秒針パイプ４３０は、軸状の部材である。
【００１８】
そして、第１ステッピングモータ２１０に連結された第１減速機構３１０が分針パイプ４２０の基端部に設けられた分針車と連結されている。第２ステッピングモータ２２０に連結された第２減速機構３２０が秒針パイプ４３０の基端部に設けられた秒針車と連結されている。また、分針パイプ４２０の基端部に設けられたカナが日の裏車と連結されており、時針パイプ４１０の基端部に設けられた時針車が日の裏車のカナと連結されている。
【００１９】
時針パイプ４１０及び分針パイプ４２０が第１ステッピングモータ２１０によりそれぞれ所定の速度で回転駆動し、秒針パイプ４３０が第２ステッピングモータにより所定の速度で回転駆動する。
【００２０】
尚、図中の７００は、発光素子７１０及び受光素子７２０からなる位置検出手段である。発光素子７１０及び受光素子７２０の間に位置する駆動部材の要所には、発光素子７１０の光を透過する透光部が設けられており、受光素子７２０の検出パターンから各指針パイプ４１０，４２０，４３０の回転位置を検出する構成となっている。
【００２１】
本例のケース体６００は、背面側の第１ケース部材６１０及び正面側の第２ケース部材６２０をその厚さ方向に組付けてなる扁平型のものである。第１ケース部材６１０及び第２ケース部材６２０の間には、モータ２１０，２２０のステータを装着した中板６０１が設けられている。
【００２２】
このケース体６００の内部、つまり第１ケース部材６１０と第２ケース部材６２０との間には、モータ２１０，２２０、減速機構３１０，３２０、及び指針パイプ４１０，４２０，４３０の基端部を設けている。第１ケース部材６１０、第２ケース部材６２０、及び中板６０１の要所には、各構成部材を保持する凹凸、ボス、及び支軸等が形成されている。指針パイプ４１０，４２０，４３０の先端部は、第２ケース部材６２０から正面に向けて突出している。第１ケース部材６１０及び第２ケース部材６２０は、互いにねじ止めされている。回路基板５００は、第２ケース部材６２０の正面に重ねてねじ止めし、装着されている。回路基板５００には、指針パイプ４１０，４２０，４３０を挿通する孔部が設けられている。
【００２３】
第１ケース部材６１０は、ケース体６００の正面側から見て第２ケース部材６２０の側部に食み出した部位に、アンテナ８００を装着するアンテナ装着部６１１を一体に備えたものである。また、また、第２ケース部材６２０は、電源電池を収納する電池ボックス６２１を一体に備えたものである。電池ボックス６２１は、ケース体６００の正面側から見てアンテナ装着部６１１の反対側に位置する。
【００２４】
アンテナ装着部６１１は、正面側を開口した箱型を呈するものであり、その内部には、アンテナ８００の端部を固定するスナップ６１１ａが設けられている。アンテナ８００は、鉄芯にコイルを巻いてなる棒状のものであり、アンテナ装着部６１１に対しては、スナップ止めされる構成となっている。或は、接着剤で固定して装着するように構成してもよい。回路基板５００には、アンテナ８００による受信の動作を制御する受信回路が設けられている。
【００２５】
このムーブメント１は、第２ケース部材６２０に回路基板５００を装着し、第２ケース部材６２０に第１ケース部材６１０を組付け、アンテナ装着部６１１にアンテナ８００を装着し、アンテナ８００のリード線を回路基板５００にハンダ付けして製造される。
【００２６】
更に、本例の回路基板５００は、第２ケース部材６２０の正面に装着されるとともに、第２ケース部材６２０の正面からアンテナ装着部６１１の側に延出する延出部５１０を備えたものとなっている。
【００２７】
第２ケース部材６２０とアンテナ装着部６１１との間には、第１ケース部材６１０及び延出部５１０にてケース体の厚さ方向に挟まれた中空部６００ａが形成されるものとし、回路基板５００の延出部５１０に搭載した電子素子５０３，５０４が、中空部６００ａに位置するように構成されている。
【００２８】
本例の場合、ムーブメント１の電子的操作手段として、第１の押しボタン式スイッチ５０１、第２の押しボタン式スイッチ５０２、及び第３の押しボタン式スイッチ５０３が設けられている。これらの押しボタン式スイッチ５０１，５０２，５０３は、回路基板５００に搭載された電子素子であって、回路基板５００に対して移動接点を所定の間隔で支える可撓部５０１ａ，５０２ａ，５０３ａと、可撓部を操作する棒状の操作部５０１ｂ，５０２ｂ，５０３ｂとを備え、操作部５０１ｂ，５０２ｂ，５０３ｂを回路基板５００に向かって押すことにより、移動接点と回路基板５００に設けられた接点とが接触するものとなっている。
【００２９】
各スイッチの機能は特に限定はしないが、第１の押しボタン式スイッチ５０１を押すと指針による表示時刻のリセットがなされ、第２の押しボタン式スイッチ５０２を押すと標準時刻電波の強制受信がなされ、第３の押しボタン式スイッチ５０３を押すと標準時刻電波の受信状態の確認がなされる構成となっている。
【００３０】
また、標準時刻電波の受信状態を表示する表示手段として、発光素子５０４が設けられている。発光素子５０４としては、ＬＥＤを採用している。この発光素子５０４は、回路基板５００に搭載された電子素子であって、第３の押しボタン式スイッチ５０３を押した際に、標準時刻電波の受信が可能であると点灯する。つまり、本例のムーブメント１は、時計の設置場所において受信の感度を確認することができるものとなっている。
【００３１】
第１の押しボタン式スイッチ５０１、第２の押しボタン式スイッチ５０２、第３の押しボタン式スイッチ５０３、及び発光素子５０４は、ケース体６００の背面側に露呈されている。
【００３２】
第１の押しボタン式スイッチ５０１及び第２の押しボタン式スイッチ５０２は、第１ケース部材６１０と第２ケース部材６２０との間に位置するものとなっている。第１ケース部材６１０及び第２ケース部材６２０の要所には、これらの押しボタンスイッチ５０１，５０２の操作部５０１ｂ，５０２ｂをガイドする貫通型の円筒ボス６１０ａ，６２０ａがそれぞれ設けられている。第１の押しボタン式スイッチ５０１及び第２の押しボタン式スイッチ５０２の操作部５０１ｂ，５０２ｂは、第２ケース部材６２０に設けられた円筒ボス６２０ａにて抜け止めされている。
【００３３】
回路基板５００に搭載された電子素子のうち、第３の押しボタン式スイッチ５０３及び発光素子５０４は、中空部６００ａに位置するものとなっている。第１ケース部材６１０の要所には、第３の押しボタンスイッチ５０３の操作部５０３ｂをガイドする貫通型の円筒ボス６１０ｂが設けられている。第３の押しボタンスイッチ５０３の操作部５０３ｂは、第１ケース部材６１０に設けられた円筒ボス６１０ｂにて抜け止めされている。また、第１ケース部材６１０の要所には、発光素子５０４を保持する貫通型の円筒ボス６１０ｃが設けられている。
【００３４】
第１の押しボタン式スイッチ５０１及び第２の押しボタン式スイッチ５０２は、第２ケース部材６２０に回路基板５００を装着することによって、回路基板５００に対して支持される。第３の押しボタン式スイッチ５０３は、回路基板５００を装着した第２ケース部材６２０に第１ケース部材６１０を組付けることによって、回路基板５００に対して支持される。複数の押しボタン式スイッチ５０１，５０２，５０３を基板に搭載する場合は、このように工程を分散すると、組付け作業が比較的容易となる。
【００３５】
本例の構成によると、電波修正時計のムーブメントを極めて合理的に構成することができる。以下に、その考え方について説明する。
【００３６】
一般に、この種のムーブメントは、時分針を駆動する第１ステッピングモータと、秒針を駆動する第２ステッピングモータとを備えており、第２ステッピングモータのノイズが第１ステッピングモータのノイズよりも遥かに大きい。従って、第２ステッピングモータとアンテナとの間隔を考慮する必要がある。また、第２ステッピングモータのノイズは、その運針方法に依存する。第２ステッピングモータの運針方法としては、ステップ運針、すなわち毎秒１つのパルス電流を供給する方法と、連続運針、すなわち１秒よりも短い間隔でパルス電流を連続供給する方法が知られている。ノイズは、ステップ運針よりも連続運針の場合に大きい。また、運針方法としては、パルス電流を１秒間隔で間欠的に供給する方法もある。例えば、１秒毎の電流供給時間を０．５秒とし、その０．５秒間におけるパルス数を１６とする。このような駆動方法によると、秒針はステップ運針と同様に１秒毎に停止するが、ステップ運針と比較すると秒針の動きが円滑で美しいものとなる。但し、ノイズの影響は連続運針と同等又はそれよりも大きくなる。
【００３７】
さて、モータや減速機構は、運針方法に応じて異なるものを使用するところ、ムーブメントのケース体については、運針方法が異なる第２ステッピングモータ及び第２減速機構をそれぞれ設けることができるように予め設計して、共通の部材を利用可能とすることが望ましい。
【００３８】
ここで、連続運針の場合は、ステップ運針と比較するとノイズの影響が遥かに大きいので、第２ステッピングモータとアンテナとの間隔が短いと、標準時刻電波の受信がおぼつかなくなる恐れがある。故に、ケース体にアンテナ装着部を設ける場合は、連続運針の場合におけるノイズの影響を考慮して、第２ステッピングモータとアンテナとの間隔を十分に確保しておく必要がある。間隔を広く設定しておけば、いずれの運針方法にも対処することが可能となる。但し、ケース体の大型化は不可避であり、その内部には空間的余裕が生じることとなる。
【００３９】
そこで本願発明者は、ケース体の内部空間を有効利用するべく鋭意検討し、本願発明を達成した。すなわち、第２ケース部材とアンテナ装着部との間に、第１ケース部材及び延出部にてケース体の厚さ方向に挟まれた中空部が形成されるものとし、延出部に搭載した電子素子が、中空部に位置するようにした。
【００４０】
電波修正時計のムーブメントは、その多機能化や機能変更に伴い、基板に搭載する電子素子の追加や変更がなされる。この点、本例のムーブメントは、第２ケース部材とアンテナ装着部との間に中空部を確保しておくことにより、中空部を利用して電子素子の追加や変更を容易に行うことができるものとなっている。特に、ムーブメントの設計現場においては、新たな機能を付加す際に、基板に搭載する電子素子の配置位置が問題となる場合がある。本例の構成は、ムーブメントを設計する上で、汎用性に優れた非常に有利なものとなっている。
【００４１】
以上説明したように、本例のムーブメントは、電波修正時計のムーブメントとして極めて合理的に構成されたものである。尚、本例における各部の構成は、特許請求の範囲に記載した技術的範囲において適宜に設計変更が可能であり、図例説明したものに限定されないことは勿論である。
【００４２】
特に、図９に示すように、中空部６００ａには磁気シールド９００を設けてもよい。磁気シールド９００としては、金属インクを設けたシートを採用し、これを中空部の壁面に貼り付けるとよい。或は、板金、金属メッシュ、発泡金属等を配置するようにしてもよい。このような構成によると、標準時刻電波の受信について、モータ２１０，２２０が発生する磁界のノイズをより確実に回避することができる。磁界が強力なモータ２１０，２２０を用いる場合に有効である。
【産業上の利用可能性】
【００４３】
本発明の電波修正時計のムーブメントは、アナログ式の壁掛け時計や目覚し時計の時刻表示部を構成するユニットとして、極めて好適に利用することが可能である。
【符号の説明】
【００４４】
１    電波修正時計のムーブメント
２１０    第１ステッピングモータ
２２０    第２ステッピングモータ
３１０    第１減速機構
３２０    第２減速機構
４１０    時針パイプ
４２０    分針パイプ
４３０    秒針パイプ
５００    回路基板
５０１    第１の押しボタン式スイッチ
５０１ａ    可撓部
５０１ｂ    操作部
５０２    第２の押しボタン式スイッチ
５０２ａ    可撓部
５０２ｂ    操作部
５０３    第３の押しボタン式スイッチ
５０３ａ    可撓部
５０３ｂ    操作部
５０４    発光素子
５１０    延出部
６００    ケース体
６００ａ    中空部
６０１    中板
６１０    第１ケース部材
６１０ａ    円筒ボス
６１０ｂ    円筒ボス
６１０ｃ    円筒ボス
６１１    アンテナ装着部
６１１ａ    スナップ
６２０    第２ケース部材
６２０ａ    円筒ボス
６２１    電池ボックス
７００    位置検出手段
７１０    発光素子
７２０    受光素子
８００    アンテナ
９００    磁気シールド
【図１】
0005331064.tif 000002
【図２】
0005331064.tif 000003
【図３】
0005331064.tif 000004
【図４】
0005331064.tif 000005
【図５】
0005331064.tif 000006
【図６】
0005331064.tif 000007
【図７】
0005331064.tif 000008
【図８】
0005331064.tif 000009
【図９】
0005331064.tif 000010